【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
無線通信装置に応対している通信ネットワークと情報サービス・プロバイダとの間の情報交換を容易にするための方法において、
前記無線通信装置に関連する事前構成ルールを保守するステップと、
前記通信ネットワークに関連するネットワーク・ノードから前記無線通信装置に関連するリアルタイム情報を受信するステップと、
前記事前構成ルールに基づいてそれを受信したときに自動的に受信したリアルタイム情報を前記情報サービス・プロバイダに提供するステップであり、前記情報サービス・プロバイダが前記リアルタイム情報のうち前記無線通信装置のために前記情報サービス・プロバイダにより事前に指定され且つ予約された部分のみの提供を受けるように前記受信したリアルタイム情報をフィルタリングするステップを更に含む前記提供するステップと、
前記情報サービス・プロバイダにより前記リアルタイム情報に従って作成されたコンテンツ情報を前記無線通信装置に転送するステップとを含む方法。
【請求項２】
前記受信ステップが、定期的な間隔で前記リアルタイム情報を受信することを含む、請求項１に記載の方法。
【請求項３】
前記リアルタイム情報が前記無線通信装置に関連する位置情報を含む、請求項１に記載の方法。
【請求項４】
前記リアルタイム情報が前記無線通信装置に関するオン／オフ状況表示を含む、請求項１に記載の方法。
【請求項５】
データベースにおいて前記受信したリアルタイム情報に関する情報を更新するステップをさらに含む、請求項１に記載の方法。
【請求項６】
前記更新ステップが、
前記リアルタイム情報に関する事象の妥当性を検査するステップと、
前記妥当性を検査した事象を前記データベースに記憶するステップとを含む、請求項５に記載の方法。
【請求項７】
前記リアルタイム情報が、通信装置ＡＯＮ＠表示、通信装置ＡＯＦＦ＠表示、位置エリア情報、セル・グローバルＩＤ情報、セル・ルーティング・エリア情報からなるグループから選択される、請求項１に記載の方法。
【請求項８】
前記無線通信装置が前記情報サービス・プロバイダに登録される、請求項１に記載の方法。
【請求項９】
無線通信装置に応対している通信ネットワークと情報サービス・プロバイダとの間の情報交換を容易にするための装置において、
前記無線通信装置に関連する事前構成ルールを保守するための記憶手段と、
前記通信ネットワークに関連するネットワーク・ノードから前記無線通信装置に関連するリアルタイム情報を受信するための受信機と、
前記事前構成ルールに基づいてそれを受信したときに自動的に受信したリアルタイム情報を前記情報サービス・プロバイダに提供するための提供手段であって、前記情報サービス・プロバイダが前記リアルタイム情報のうち前記無線通信装置のために前記情報サービス・プロバイダにより事前に指定され且つ予約された部分のみの提供を受けるように前記受信したリアルタイム情報をフィルタリングする手段を更に含む前記提供手段と、
前記情報サービス・プロバイダにより前記リアルタイム情報に従って作成されたコンテンツ情報を前記無線通信装置に転送するための手段とを含む装置。
【請求項１０】
前記受信したリアルタイム情報をフィルタリングするためのフィルタをさらに含み、フィルタリングした受信リアルタイム情報が前記情報サービス・プロバイダに提供される、請求項９に記載の装置。
【請求項１１】
前記フィルタにより前記フィルタリングしたリアルタイム情報を前記無線通信装置から受信することが可能になり、前記情報サービス・プロバイダからデータを受信するために前記無線通信装置が登録される、請求項１０に記載の装置。
【請求項１２】
前記受信機が、定期的な間隔で前記リアルタイム情報を受信する、請求項９に記載の装置。
【請求項１３】
前記受信したリアルタイム情報に関する情報を含むデータベースをさらに含む、請求項９に記載の装置。
【請求項１４】
前記受信したリアルタイム情報に関連する前記情報を更新するための更新手段をさらに含み、前記更新手段が、
前記受信したリアルタイム情報に関する事象の妥当性を検査するための妥当性検査手段と、
妥当性を検査した事象を前記データベースに記憶するための記憶手段とを含む、請求項１３に記載の装置。
【請求項１５】
前記リアルタイム情報が、位置エリア情報、ルーティング・エリア情報、通信装置Ａｏｎ＠表示、通信装置Ａｏｆｆ＠表示、ローカル・セル・グローバルＩＤ情報からなるグループから選択される、請求項９に記載の装置。
【請求項１６】
通信ネットワークに関連するネットワーク・ノードによりリアルタイム情報を報告し、その中の無線通信装置に応対するための方法において、
前記ネットワーク・ノードにより、前記無線通信装置に関連する加入者に関するリアルタイム情報を監視するステップと、
前記情報サービス・プロバイダにより前記リアルタイム情報に従って作成されたコンテンツ情報を前記無線通信装置に提供する際に使用するために前記リアルタイム情報を情報サービス・プロバイダに自動的に転送するように構成された対事業所取引（Ｂ２Ｂ）エンジンに前記リアルタイム情報を提供するステップであって、該提供するステップは、前記ネットワーク・ノードにより検出された前記リアルタイム情報への更新によって開始され、前記Ｂ２Ｂエンジンは前記リアルタイム情報のうち前記無線通信装置のために前記情報サービス・プロバイダにより事前に指定され且つ予約された部分を提供する、前記提供するステップとを含む方法。
【請求項１７】
前記提供するステップの前に、
前記ネットワーク・ノードにより前記リアルタイム情報を他のネットワーク・ノードに転送するステップをさらに含み、前記他のネットワーク・ノードが前記リアルタイム情報を前記Ｂ２Ｂエンジンに提供する、請求項１６に記載の方法。
【請求項１８】
前記ネットワーク・ノードがビジタ位置レジスタ（ＶＬＲ）であり、前記第２のネットワーク・ノードがホーム位置レジスタ（ＨＬＲ）である、請求項１６に記載の方法。
【請求項１９】
リアルタイム情報を提供するための通信システムにおいて、
前記リアルタイム情報の変更を検出するために前記通信システム内の無線通信装置に関連する加入者に関するリアルタイム情報を監視するための第１のネットワーク・ノードと、
前記第１のネットワーク・ノードで前記変更を検出したときに前記第１のネットワーク・ノードから前記リアルタイム情報を受信するために前記第１のネットワーク・ノードとのインタフェースが取られた対事業所取引（Ｂ２Ｂ）エンジンであって、該Ｂ２Ｂエンジンは更に、前記情報サービス・プロバイダにより前記リアルタイム情報に従って作成されたコンテンツ情報を前記無線通信装置に提供する際に使用するために前記リアルタイム情報を情報サービス・プロバイダに自動的に転送するように構成され、前記加入者のために前記情報サービス・プロバイダにより事前に指定され且つ予約された前記リアルタイム情報のある部分を前記情報サービス・プロバイダに提供するために前記受信したリアルタイム情報をフィルタリングする手段を更に含む前記Ｂ２Ｂエンジンとを含む、通信システム。
【請求項２０】
前記第１のネットワーク・ノードが、前記加入者に関する前記リアルタイム情報を監視するための監視エージェントを含む、請求項１９に記載のシステム。
【請求項２１】
前記Ｂ２Ｂエンジンと前記第１のネットワーク・ノードとのインタフェースであって、移動通信応用部（ＭＡＰ）プロトコルを使用するインタフェースをさらに含む、請求項１９に記載のシステム。
【請求項２２】
前記第１のネットワーク・ノードに接続された第２のネットワーク・ノードであって、前記通信システム内の前記無線通信装置に関連する前記加入者に関する前記リアルタイム情報を監視し、監視したリアルタイム情報を前記第１のネットワーク・ノードに提供する第２のネットワーク・ノードをさらに含み、提供された監視リアルタイム情報が前記第１のネットワーク・ノードにより前記Ｂ２Ｂエンジンに転送される、請求項１９に記載のシステム。
【請求項２３】
前記第１のネットワーク・ノードがホーム位置レジスタ（ＨＬＲ）であり、前記第２のネットワーク・ノードがビジタ位置レジスタ（ＶＬＲ）である、請求項２２に記載のシステム。
【請求項２４】
前記リアルタイム情報が、位置エリア情報、ルーティング・エリア情報、通信装置Ａｏｎ＠表示、通信装置Ａｏｆｆ＠表示、ローカル・セル・グローバルＩＤ情報からなるグループから選択される、請求項１９に記載のシステム。
【請求項２５】
前記保守ステップが、
前記情報サービス・プロバイダとともに前記無線通信装置に関連する加入者により前記事前構成ルールを確立するステップと、
前記事前構成ルールを前記通信ネットワークに関連する対事業所取引エンジン内に記憶するステップとをさらに含む、請求項１に記載の方法。
【請求項２６】
前記転送ステップが、
前記無線通信装置がアイドル状態の間に前記コンテンツ情報を前記無線通信装置にメッセージとして転送するステップをさらに含む、請求項１に記載の方法。